(57)【要約】【課題】  パネルの高精細化を図るとともに発光に寄与しない無効消費電力の消費を低減出来るＰＤＰを提供する。【解決手段】  行電極Ｘ１，Ｙ１が、行方向に延びるバス電極Ｘ１ａ，Ｙ１ａと放電セルＣ１ごとに互いに対向される透明電極Ｘ１ｂ，Ｙ１ｂとを有し、この透明電極Ｘ１ｂ，Ｙ１ｂの放電ギャップｇ１，ｇ２を介して対向している対向部Ｘ１ｂ２，Ｙ１ｂ２が、パネルの行方向に対して右回り方向または左回り方向に所要の角度傾斜して形成され、この対向部Ｘ１ｂ２，Ｙ１ｂ２が互いに反対向きに傾斜されている透明電極Ｘ１ｂ，Ｙ１ｂが、バス電極Ｘａ，Ｙａに沿って交互に配置されて、同じ向きに傾斜されている対向部Ｘ１ｂ２，Ｙ１ｂ２同士が対向される。【選択図】    図２
2006019136.tif 000002
【特許請求の範囲】
【請求項１】
放電空間を挟んで対向される一対の基板の一方の基板に行方向に延び列方向に並設された複数の行電極対が形成され、一方の基板または他方の基板に列方向に延び行方向に並設された複数の列電極が形成されて、この列電極と行電極対が交差する部分の放電空間内にそれぞれ単位発光領域が形成されているプラズマディスプレイパネルにおいて、
前記行電極対を構成する一方の行電極と他方の行電極が、それぞれ、行方向に延びる電極本体部と、この電極本体部から対になっている相手の行電極側に突出して単位発光領域ごとに互いに放電ギャップを介して対向される突出電極部とを有し、
前記突出電極部の互いに対になっている相手の突出電極部と放電ギャップを介して対向している部分が、パネルの行方向に対して右回り方向または左回り方向に所要の角度傾斜して形成され、
対になっている相手の突出電極部と対向している部分が右回り方向に傾斜している突出電極部と左回り方向に傾斜している突出電極部が、それぞれ、電極本体部に沿って交互に配置されて、一方の行電極と他方の行電極の互いに同じ方向に傾斜している突出電極部同士が放電ギャップを介して対向されている、
ことを特徴とするプラズマディスプレイパネル。
【請求項２】
前記行電極突出部が、それぞれ、電極本体部に接続されてこの突出電極部から対になっている相手の行電極突出部側に列方向に延びる基端部分と、この基端部分の先端部にパネルの行方向に対して右回り方向または左回り方向に所要の角度傾斜した状態で一体的に形成されて互いに対になっている相手の行電極突出部と放電ギャップを介して対向される対向部分とを有している請求項１に記載のプラズマディスプレイパネル。
【請求項３】
前記行電極突出部の対向部分が、基端部分よりも行方向において幅広に形成されているとともに、対向部分のほぼ中央位置に基端部分の先端部が接続されている請求項２に記載のプラズマディスプレイパネル。
【請求項４】
前記行電極突出部の基端部分の先端部が、対向部分の行電極本体部に近い側の端部側に接続されている請求項２に記載のプラズマディスプレイパネル。
【請求項５】
前記行電極突出部の基端部分が、行電極本体部のそれぞれの単位発光領域に対向している部分の中央位置よりも対向部分が延びる方向と反対側の隣接する他の単位発光領域との境界部分に接近した位置において、行電極本体部に接続されている請求項４に記載のプラズマディスプレイパネル。
【発明の詳細な説明】
【技術分野】
【０００１】
この発明は、面放電方式交流型プラズマディスプレイパネルのパネル構造に関する。
【背景技術】
【０００２】
一般に、プラズマディスプレイパネル（以下、ＰＤＰという）は、放電空間を介して対向された一対の基板の間に、行方向（パネル面の左右方向）に延び列方向（パネル面の上下方向）に並設された複数の行電極対と、列方向に延びて行電極対と交差する部分の放電空間内にそれぞれ放電セルを形成する複数の列電極が配置されており、行電極対の一方の行電極と列電極との間で選択的にアドレス放電が行われ、このアドレス放電によって選択された放電セル内において、行電極対を構成する各行電極間でサステイン放電が発生されて、このサステイン放電により、一対の基板間に形成されている蛍光体層が発光することにより映像信号の画像データに対応した画像を形成する。
【０００３】
ここで、このＰＤＰの画像形成時に発生されるサステイン放電は、行電極対を構成する行電極の放電ギャップを介して互いに対向して放電を発生させる部分の対向長さ（放電ギャップ長）が短い場合には、その放電開始電圧が高くなる。
【０００４】
このため、サステイン放電の放電開始電圧を低減してＰＤＰの消費電力を減少させるためには、行電極のサステイン放電を発生させる部分の放電ギャップ長を最大限大きくすることが要求される。
【０００５】
ところが、近年のＰＤＰ画面の高精細化に伴い、各放電セルの個々の面積が小さくなってゆくにしたがって、放電セルの行方向の幅が狭まってゆき、これに伴って、行電極のサステイン放電を発生させる部分の放電ギャップ長を放電開始電圧を低減させるのに十分な長さに設定することが困難になってくるという問題が生じる。
【０００６】
図１のＰＤＰは、このような問題を解決するために開発されたものである。
【０００７】
この図１の従来のＰＤＰは、ＰＤＰの表示面となる前面ガラス基板（図示せず）の背面に、前面ガラス基板の行方向（図１の左右方向）に延びる複数の行電極対（Ｘ，Ｙ）が、列方向に平行に並設されている。
【０００８】
この各行電極対（Ｘ，Ｙ）を構成する行電極Ｘ，Ｙは、それぞれ、前面ガラス基板の行方向に延びる金属膜からなるバス電極Ｘａ，Ｙａと、このバス電極Ｘａ，Ｙａの等間隔位置にそれぞれ接続されて互いに対になっている他の行電極側に列方向（図１において上下方向）に突出する透明電極Ｘｂ，Ｙｂとから構成されている。
【０００９】
各透明電極Ｘｂ，Ｙｂは、それぞれ、列方向に延びてバス電極Ｘａ，Ｙａに接続される幅狭の基端部Ｘｂ１，Ｙｂ１と、この基端部Ｘｂ１，Ｙｂ１の先端部に一体的に形成された幅広の対向部Ｘｂ２，Ｙｂ２とによって略Ｔ字形状に成形されている。
【００１０】
そして、この各透明電極Ｘｂ，Ｙｂの対向部Ｘｂ２，Ｙｂ２は、それぞれが、前面ガラス基板の行方向に対して一方方向（図示の例では左回り方向）に所定の角度だけ傾斜するように形成されており、対になっている相手の透明電極の対向部と放電ギャップｇを介して互いに対向されている。
【００１１】
なお、図１中、Ｐは、前面ガラス基板と背面ガラス基板（図示せず）の間の放電空間内の互いに対になっている透明電極ＸｂとＹｂに対向する部分に形成される放電セルＣを区画するための隔壁である（例えば、特許文献１参照）。
【００１２】
このＰＤＰは、行電極Ｙの透明電極Ｙｂと背面ガラス基板側に形成された列電極（図示せず）との間で選択的にアドレス放電が行われた後、行電極Ｘ，Ｙの透明電極Ｘｂ，Ｙｂの互いに放電ギャップｇを介して対向する対向部Ｘｂ２，Ｙｂ２間で、サステイン放電が発生される。
【００１３】
このＰＤＰは、サステイン放電が発生される透明電極Ｘｂ，Ｙｂの対向部Ｘｂ２，Ｙｂ２がそれぞれ行方向に対して一方方向に傾斜するように形成されていることによって、放電セルＣの行方向の幅がパネルの高精細化に伴って縮小される場合であっても、透明電極Ｘｂ，Ｙｂの対向部Ｘｂ２，Ｙｂ２の放電ギャップ長ｘが、その傾斜分だけ延長されて、サステイン放電の放電開始電圧を低減するのに適当な長さに設定することが可能になっている。
【００１４】
しかしながら、この従来のＰＤＰには、以下のような新たな問題が発生する。
【００１５】
すなわち、上記ＰＤＰは、各透明電極Ｘｂ，Ｙｂの対向部Ｘｂ２，Ｙｂ２がそれぞれ一方方向に傾斜するように形成されることによって、放電ギャップｇを介して対向して対になっている透明電極対（Ｘｂ，Ｙｂ）の透明電極Ｘｂの対向部Ｘｂ２の端部と、図１において左側に隣接している透明電極対（Ｘｂ，Ｙｂ）の透明電極Ｙｂの対向部Ｙｂ２の端部とが互いに対向する位置に位置されることになり、その間の距離ｄが小さくなる。
【００１６】
この結果、隣接する透明電極対（Ｘｂ，Ｙｂ）間において対向部Ｘｂ２とＹｂ２の端部間の距離が接近しているために、行電極ＸとＹ間にサステイン放電のための電位差が発生された際に、放電セル内の透明電極ＸｂとＹｂの対向部分以外の部分にも静電容量が形成されて、この静電容量に対する充放電のために、発光に寄与しない無効電力の消費が大きくなるという問題が生じる。
【００１７】
【特許文献１】特開２０００−１９５４３１号
【発明の開示】
【発明が解決しようとする課題】
【００１８】
この発明は、上記のような従来のＰＤＰにおける問題点を解決することをその課題の一つとしている。
【課題を解決するための手段】
【００１９】
この発明（請求項１に記載の発明）によるＰＤＰは、上記目的を達成するために、 放電空間を挟んで対向される一対の基板の一方の基板に行方向に延び列方向に並設された複数の行電極対が形成され、一方の基板または他方の基板に列方向に延び行方向に並設された複数の列電極が形成されて、この列電極と行電極対が交差する部分の放電空間内にそれぞれ単位発光領域が形成されているプラズマディスプレイパネルにおいて、前記行電極対を構成する一方の行電極と他方の行電極が、それぞれ、行方向に延びる電極本体部と、この電極本体部から対になっている相手の行電極側に突出して単位発光領域ごとに互いに放電ギャップを介して対向される突出電極部とを有し、前記突出電極部の互いに対になっている相手の突出電極部と放電ギャップを介して対向している部分が、パネルの行方向に対して右回り方向または左回り方向に所要の角度傾斜して形成され、対になっている相手の突出電極部と対向している部分が右回り方向に傾斜している突出電極部と左回り方向に傾斜している突出電極部が、それぞれ、電極本体部に沿って交互に配置されて、一方の行電極と他方の行電極の互いに同じ方向に傾斜している突出電極部同士が放電ギャップを介して対向されていることを特徴としている。
【発明を実施するための最良の形態】
【００２０】
この発明によるＰＤＰは、互いに放電空間を介して対向される前面ガラス基板と背面ガラス基板の間に設けられて、列電極と交差する部分の放電空間内にそれぞれ放電セルを形成する行電極対の各行電極が、行方向に延びるバス電極と、このバス電極の等間隔位置に接続されて対になっている相手の行電極のバス電極側に延びて放電ギャップを介して互いに対向される透明電極とによって構成され、各透明電極が、バス電極に接続されて列方向に延びる基端部と、この基端部の先端部に行方向に対して右回りまたは左回りに傾斜する方向に延びるように一体的に形成された対向部とによって、略Ｔ字形状または略くの字形状に成形されており、この対向部が右回りと左回りに傾斜している透明電極が、それぞれバス電極に沿って交互に配置されて、対になっている他の行電極の対向部が同じ側に傾斜している透明電極同士が互いに放電ギャップを介して対向されているＰＤＰをその最良の実施形態としている。
【００２１】
上記実施形態のＰＤＰは、放電ギャップを介して互いに対向して発光のためのサステイン放電を発生させる対になっている透明電極の対向部が、それぞれ、行方向に対して所定角度だけ傾斜した状態で形成されていることによって、放電ギャップ長が、その傾斜分だけ放電セルの行方向の幅に対して長くなるように形成可能となる。
【００２２】
したがって、パネルの高精細化に伴って放電セルの行方向の幅が小さくなるような場合でも、放電ギャップ長をサステイン放電の放電開始電圧を低減するのに適当な長さに設定することが可能になる。
【００２３】
そして、互いに対向する透明電極は、その対向部の傾斜方向がバス電極に沿って交互に反対向きになるように配置されるので、透明電極の対向部と、この透明電極が対になっている相手の透明電極に行方向において隣接する他の透明電極の対向部との間の間隔が、それぞれ大きくなるとともに、隣接する放電セル間の異なる電圧が印加される透明電極の端部が互いに対向しなくなる。
【００２４】
これによって、隣接する放電セルの透明電極間に形成される静電容量が小さくなって、この静電容量に対する行電極間の充放電による無効電力の消費が低減される。
【実施例１】
【００２５】
図２および３は、この発明によるＰＤＰの実施形態における第１の実施例を示しており、図２は、この第１実施例におけるＰＤＰの構成を模式的に示す正面図であり、図３は、図２のＶ−Ｖ線における側断面図である。
【００２６】
この第１実施例におけるＰＤＰ１０は、図２および３において、表示面である前面ガラス基板１の背面に、それぞれが表示ラインＬを形成する複数の行電極対（Ｘ１，Ｙ１）が、前面ガラス基板１０の行方向（図２の左右方向）に延びるとともに列方向（図２の上下方向）に平行に並設されている。
【００２７】
この行電極対（Ｘ１，Ｙ１）を構成する行電極Ｘ１は、前面ガラス基板１の行方向に帯状に延びる金属膜からなるバス電極Ｘ１ａと、このバス電極Ｘ１ａの等間隔位置からそれぞれ対になっている行電極Ｙ１側に突出するＩＴＯ等の透明導電膜からなる透明電極Ｘ１ｂとによって構成されている。
【００２８】
この透明電極Ｘ１ｂの形状については、後で詳述する。
【００２９】
行電極対（Ｘ１，Ｙ１）を構成する行電極Ｙ１も、行電極Ｘ１と同様に、前面ガラス基板１の行方向に帯状に延びる金属膜からなるバス電極Ｙ１ａと、このバス電極Ｙ１ａの等間隔位置からそれぞれ対になっている行電極Ｘ１側に延びるＩＴＯ等の透明導電膜からなる透明電極Ｙ１ｂとによって構成されている。
【００３０】
この行電極Ｘ１，Ｙ１の透明電極Ｘ１ｂ，Ｙ１ｂは、それぞれ、列方向に延びてバス電極Ｘ１ａ，Ｙ１ａに接続される幅狭の基端部Ｘ１ｂ１，Ｙ１ｂ１と、この基端部Ｘ１ｂ１，Ｙ１ｂ１の先端部において、略行方向に延びる幅広の対向部Ｘ１ｂ２，Ｙ１ｂ２とによって、略Ｔ字形状に成形されている。
【００３１】
この各透明電極Ｘ１ｂ，Ｙ１ｂの対向部Ｘ１ｂ２，Ｙ１ｂ２は、それぞれ、行方向に対してバス電極Ｘ１ａ，Ｙ１ａに沿って交互に反対向きに所定の角度θ１だけ傾斜するように形成されている。
【００３２】
すなわち、各行電極Ｘ１，Ｙ１は、対向部Ｘ１ｂ２，Ｙ１ｂ２が右回り（時計回り）に傾斜している透明電極Ｘ１ｂ，Ｙ１ｂ（以下、透明電極ＸＲ１ｂ，ＹＲ１ｂとする）と、対向部Ｘ１ｂ２，Ｙ１ｂ２が左回り（反時計回り）に傾斜している透明電極Ｘ１ｂ，Ｙ１ｂ（以下、透明電極ＸＬ１ｂ，ＹＬ１ｂとする）が、それぞれバス電極Ｘ１ａ，Ｙ１ａに沿って行方向に交互に配置された構成になっている（図２参照）。
【００３３】
そして、互いに対になっている透明電極ＸＲ１ｂとＹＲ１ｂの対向部ＸＲ１ｂ２とＹＲ１ｂ２、および、透明電極ＸＬ１ｂとＹＬ１ｂの対向部ＸＬ１ｂ２とＹＬ１ｂ２は、それぞれ、放電ギャップｇ１，ｇ２を介して平行に対向されている。
【００３４】
なお、この実施例においては、列方向に並設された行電極対（Ｘ１，Ｙ１）の各行電極Ｘ１，Ｙ１が、表示ラインＬ毎にＸ１−Ｙ１，Ｙ１−Ｘ１というように交互に入れ替えられた配置になっている。
【００３５】
前面ガラス基板１の背面には、列方向において隣接する行電極対（Ｘ１，Ｙ１）の互いに背中合わせになったバス電極Ｘ１ｂとＹ１ｂの間に、このバス電極Ｘ１ｂ，Ｙ１ｂに沿って行方向に延びる黒色または暗色の光吸収層（遮光層）ＢＳが形成されている。
【００３６】
さらに、前面ガラス基板１の背面には、行電極対（Ｘ１，Ｙ１）を被覆するように誘電体層２が形成されており、この誘電体層２の背面には、互いに隣接する行電極対（Ｘ１，Ｙ１）の背中合わせに位置するバス電極Ｘ１ａ，Ｙ１ａおよびこのバス電極Ｘ１ａとＹ１ａの間に位置する光吸収層ＢＳに対向する位置に、誘電体層２の背面側に突出する嵩上げ誘電体層２Ａが、バス電極Ｘ１ａ，Ｙ１ａと平行に延びるように形成されている。
【００３７】
そして、この誘電体層２と嵩上げ誘電体層２Ａの背面側には、ＭｇＯからなる保護層３が形成されている。
【００３８】
一方、前面ガラス基板１と放電空間Ｓを介して平行に配置された背面ガラス基板４の表示側の面上には、列電極Ｄが、各行電極対（Ｘ１，Ｙ１）の互いに対となった透明電極Ｘ１ｂとＹ１ｂに対向する位置において行電極対（Ｘ１，Ｙ１）と直交する方向（列方向）に延びるように、互いに所定の間隔を開けて平行に並設されている。
【００３９】
背面ガラス基板４の表示側の面上には、さらに、列電極Ｄを被覆する白色の列電極保護層５が形成され、この列電極保護層５上に、隔壁６が形成されている。
【００４０】
この隔壁６は、各行電極対（Ｘ１，Ｙ１）のバス電極Ｘ１ａとＹ１ａに対向する位置においてそれぞれ行方向に延びる一対の横壁６Ａと、隣接する列電極Ｄの間の中間位置において一対の横壁６Ａ間を列方向に延びる縦壁６Ｂとによって略梯子形状に形成されており、各隔壁６が、隣接する他の隔壁６の背中合わせに対向する横壁６Ａとの間において行方向に延びる隙間ＳＬを介して、列方向に並設されている。
【００４１】
そして、この梯子状の隔壁６によって、前面ガラス基板１と背面ガラス基板４の間の放電空間Ｓが、各行電極対（Ｘ１，Ｙ１）において対になっている透明電極Ｘ１ｂ，Ｙ１ｂに対向する部分に形成された放電セルＣ１ごとに、それぞれ方形に区画されている。
【００４２】
各放電セルＣ１内において、隔壁６の横壁６Ａおよび縦壁６Ｂの側面と列電極保護層５の表面には、これらの五つの面を全て覆うように蛍光体層７が形成されており、この蛍光体層７の色は、各放電セルＣ１毎に赤，緑，青の三原色が行方向に順に並ぶように配列されている。
【００４３】
嵩上げ誘電体層２Ａは、この嵩上げ誘電体層２Ａを被覆している保護層３が隔壁６の横壁６Ａの表示側の面に当接される（図３参照）ことによって、放電セルＣ１と隙間ＳＬの間がそれぞれ閉じられている。
【００４４】
放電空間Ｓ内には、キセノン（Ｘｅ）を含む放電ガスが封入されている。
【００４５】
上記ＰＤＰ１０は、従来のＰＤＰと同様に、リセット放電期間に行電極対（Ｘ１，Ｙ１）の対になっている各透明電極Ｘ１ｂ，Ｙ１ｂ間で一斉にリセット放電が行われて、誘電体層２の各放電セルＣ１に隣接している部分の壁電荷が全て消去（または、全ての部分に壁電荷が形成）される。
【００４６】
次のアドレス放電期間において、スキャン・パルスが印加される行電極Ｙ１の透明電極Ｙ１ｂとデータ・パルスが印加される列電極Ｄ１との間で選択的にアドレス放電が発生されて、映像信号の画像データに対応して、誘電体層２に壁電荷が形成されている発光セルと誘電体層２の壁電荷が消去されている非発光セルがパネル面に分布される。
【００４７】
そして、次のサステイン放電期間において、発光セル内において行電極対（Ｘ１，Ｙ１）の対になっている透明電極Ｘ１ｂ，Ｙ１ｂ間でサステイン放電が行われ、このサステイン放電によって放電ガス中のキセノンから真空紫外線が放射されて、この真空紫外線により、赤，緑，青の三原色に色分けされた蛍光体層７が励起されて発光することにより、パネル面に画像が形成される。
【００４８】
このＰＤＰ１０は、上述したように、サステイン放電を発生させる透明電極Ｘ１ｂ，Ｙ１ｂの放電ギャップｇ１またはｇ２を介して互いに対向する対向部Ｘ１ｂ２とＹ１ｂ２が、それぞれ、行方向に対して所定角度θ１だけ傾斜した状態で形成されていることによって、放電ギャップ長（対向部Ｘ１ｂ２とＹ１ｂ２の対向部分の長さ）ｘ１が、その傾斜分だけ放電セルＣ１の行方向の幅に対して長くなるように形成されている。
【００４９】
したがって、上記ＰＤＰ１０によれば、例えばパネルの高精細化に伴って各放電セルＣ１の行方向の幅（隔壁６の縦壁６Ｂ間の間隔）が小さくなったり、また、必要に応じて隔壁６の縦壁６Ｂの幅ｈ（図２参照）が大きくなるように設定され、その結果、各放電セルＣ１の行方向の幅が小さくなるような場合でも、対になっている透明電極Ｘ１ｂとＹ１ｂ間の放電ギャップ長ｘ１を、サステイン放電の放電開始電圧を低減するのに適当な長さに設定することが可能になる。
【００５０】
そして、さらに、上記ＰＤＰ１０によれば、各行電極対（Ｘ１，Ｙ１）において、行電極Ｘ１，Ｙ１のバス電極Ｘ１ａ，Ｙ１ａに沿ってそれぞれ透明電極ＸＲ１ｂ，ＹＲ１ｂと透明電極ＸＬ１ｂ，ＹＬ１ｂが交互に配置されて、透明電極ＸＲ１ｂ，ＹＲ１ｂの対向部ＸＲ１ｂ２，ＹＲ１ｂ２とこれに隣接する透明電極ＸＬ１ｂ，ＹＬ１ｂの対向部ＸＬ１ｂ２，ＹＬ１ｂ２の傾きが互いに反対向きになっていることによって、行方向に隣接している透明電極ＸＲ１ｂの対向部ＸＲ１ｂ２の端部と透明電極ＹＬ１ｂの対向部ＹＬ１ｂ２の端部、および、透明電極ＹＲ１ｂの対向部ＹＲ１ｂ２の端部と透明電極ＸＬ１ｂの対向部ＸＬ１ｂ２の端部とが、それぞれ互いに対向する位置からずれた位置に位置されることになり、また、それぞれの間の間隔ｄ１，ｄ２が、図１の従来のＰＤＰの場合よりも大きくなるように設定される。
【００５１】
これによって、各透明電極Ｘ１ｂ，Ｙ１ｂの対向部Ｘ１ｂ２，Ｙ１ｂ２が行方向に対して傾斜するように形成される場合でも、隣接する放電セルＣ１の透明電極Ｘ１ｂとＹ１ｂ間に形成される静電容量が、図１の従来のＰＤＰの場合よりも小さくなるので、この静電容量に対する行電極Ｘ１とＹ１間の充放電による無効電力の消費が低減される。
【００５２】
なお、上記の実施例において、各透明電極Ｘ１ｂ，Ｙ１ｂの対向部Ｘ１ｂ２，Ｙ１ｂ２を、その傾斜方向が、列方向において表示ライン毎に交互に反対向きになるように形成するようにしても良い。
【００５３】
また、上記の各行電極Ｘ１，Ｙ１における透明電極Ｘ１ｂ，Ｙ１ｂの構成は、各行電極対（Ｘ１，Ｙ１）の行電極Ｘ１とＹ１が表示ラインＬにおいて同じ配置、すなわち、パネルの列方向においてＸ１−Ｙ１，Ｘ１−Ｙ１というように配置される構成のプラズマディスプレイパネルにおいても、同様に適用することが出来る。
【００５４】
さらに、上記の各行電極Ｘ１，Ｙ１における透明電極Ｘ１ｂ，Ｙ１ｂの構成は、前面ガラス基板と背面ガラス基板の一方の基板側に行電極対と列電極の双方が形成される形式のＰＤＰにおいても、同様に適用することが出来る。
【実施例２】
【００５５】
図４は、この発明によるＰＤＰの実施形態における第２の実施例の構成を模式的に示す正面図である。
【００５６】
この第１実施例におけるＰＤＰ２０は、行電極対（Ｘ２，Ｙ２）を構成する行電極Ｘ２，Ｙ２のバス電極Ｘ２ａ，Ｙ２ａに沿ってそれぞれ形成された透明電極Ｘ２ｂ，Ｙ２ｂの形状が、前述した第１実施例の行電極Ｘ１，Ｙ１の透明電極Ｘ１ｂ，Ｙ１ｂと異なる以外は第１実施例のＰＤＰ１０とほぼ同様であり、図４において同一の構成部分については第１実施例のＰＤＰ１０と同一の符号が付されている。
【００５７】
図４において、ＰＤＰ２０の行電極Ｘ２は、列方向に延びる基端部ＸＲ２ｂ１、および、この基端部ＸＲ２ｂ１の先端から列方向に対して右方向（時計回り方向）に所定角度θ２だけ傾斜する方向に延びる対向部ＸＲ２ｂ２とによって略くの字形状に成形された透明電極ＸＲ２ｂと、列方向に延びる基端部ＸＬ２ｂ１、および、この基端部ＸＬ２ｂ１の先端から列方向に対して左方向（反時計回り方向）に傾斜する向きに延びる対向部ＸＬ２ｂ２とによって透明電極ＸＲ２ｂと逆向きの略くの字形状に成形された透明電極ＸＬ２ｂの二種類の透明電極Ｘ２ｂが、バス電極Ｘ２ａに沿って交互に配置された構成になっている。
【００５８】
そして、透明電極ＸＲ２ｂの基端部ＸＲ２ｂ１は、バス電極Ｘ２ａの放電セルＣ１に対向する部分の中央位置よりも図４において左側に寄った位置に接続され、透明電極ＸＬ２ｂの基端部ＸＬ２ｂ１は、バス電極Ｘ２ａの放電セルＣ１に対向する部分の中央位置よりも図４において右側に寄った位置に接続されている（すなわち、互いに背中合わせに位置する透明電極ＸＲ２ｂとＸＬ２ｂは、それぞれの基端部ＸＲ２ｂ１とＸＬ２ｂ１が、隔壁６の縦壁６Ｂを挟んで互いに接近した位置に位置されている）。
【００５９】
同様に、行電極Ｙ２は、列方向に延びる基端部ＹＲ２ｂ１、および、この基端部ＹＲ２ｂ１の先端から列方向に対して右方向に傾斜する向きに延びる対向部ＹＲ２ｂ２とによって逆向きの略くの字形状に成形された透明電極ＹＲ２ｂと、列方向に延びる基端部ＹＬ２ｂ１、および、この基端部ＹＬ２ｂ１の先端から左方向に傾斜する向きに延びる対向部ＹＬ２ｂ２とによって略くの字形状に成形された透明電極ＹＬ２ｂの二種類の透明電極Ｙ２ｂが、バス電極Ｙ２ａに沿って交互に配置された構成になっている。
【００６０】
そして、透明電極ＹＲ２ｂの基端部ＹＲ２ｂ１は、バス電極Ｙ２ａの放電セルＣ１に対向する部分の中央位置よりも図４において右側に寄った位置に接続され、透明電極ＹＬ２ｂの基端部ＹＬ２ｂ１は、バス電極Ｙ２ａの放電セルＣ１に対向する部分の中央位置よりも図４において左側に寄った位置に接続されている（すなわち、互いに背中合わせに位置する透明電極ＹＲ２ｂとＹＬ２ｂは、それぞれの基端部ＹＲ２ｂ１とＹＬ２ｂ１が、隔壁６の縦壁６Ｂを挟んで互いに接近した位置に位置されている）。
【００６１】
なお、以下において、単に透明電極Ｘ２ｂというときは、透明電極ＸＲ２ｂとＸＬ２ｂの双方を含み、透明電極Ｙ２ｂというときは、透明電極ＹＲ２ｂとＹＬ２ｂの双方を含むものとする。
【００６２】
この行電極Ｘ２，Ｙ２の透明電極Ｘ２ｂ，Ｙ２ｂは、透明電極ＸＲ２ｂとＹＲ２ｂ、および、透明電極ＸＬ２ｂとＹＬ２ｂが互いに対になっていて、透明電極ＸＲ２ｂの対向部ＸＲ２ｂ２と透明電極ＹＲ２ｂの対向部ＹＲ２ｂ２が放電ギャップｇ３を介して互いに平行に対向されており、透明電極ＸＬ２ｂの対向部ＸＬ２ｂ２と透明電極ＹＬ２ｂの対向部ＹＬ２ｂ２が放電ギャップｇ４を介して互いに平行に対向されている。
【００６３】
上記ＰＤＰ２０は、上述したように、サステイン放電を発生させる透明電極Ｘ２ｂ，Ｙ２ｂの放電ギャップｇ３またはｇ４を介して互いに対向する対向部Ｘ２ｂ２とＹ２ｂ２が、それぞれ、列方向に対して所定角度θ２だけ傾斜した状態で形成されていることによって、放電ギャップ長（対向部Ｘ２ｂ２とＹ２ｂ２の対向部分の長さ）ｘ２が、その傾斜分だけ放電セルＣ１の行方向の幅に対して長くなるように形成されている。
【００６４】
したがって、上記ＰＤＰ２０によれば、例えばパネルの高精細化に伴って各放電セルＣ１の行方向の幅（隔壁６の縦壁６Ｂ間の間隔）が小さくなったり、また、必要に応じて隔壁６の縦壁６Ｂの幅ｈ（図４参照）が大きくなるように設定され、その結果、各放電セルＣ１の行方向の幅が小さくなるような場合でも、対になっている透明電極Ｘ２ｂとＹ２ｂ間の放電ギャップ長ｘ２を、サステイン放電の放電開始電圧を低減するのに適当な長さに設定することが可能である。
【００６５】
そして、さらに、上記ＰＤＰ２０によれば、各行電極対（Ｘ２，Ｙ２）において、行電極Ｘ２，Ｙ２のバス電極Ｘ２ａ，Ｙ２ａに沿ってそれぞれ透明電極ＸＲ２ｂ，ＹＲ２ｂと透明電極ＸＬ２ｂ，ＹＬ２ｂが交互に配置されて、透明電極ＸＲ２ｂ，ＹＲ２ｂの対向部ＸＲ２ｂ２，ＹＲ２ｂ２とこれに隣接する透明電極ＸＬ２ｂ，ＹＬ２ｂの対向部ＸＬ２ｂ２，ＹＬ２ｂ２がそれぞれ互いに対向する位置からずれた位置に位置され、また、透明電極ＸＲ２ｂの対向部ＸＲ２ｂ２と隣接する透明電極ＹＬ２ｂの対向部ＹＬ２ｂ２との間隔ｄ３、および、透明電極ＸＬ２ｂの対向部ＸＬ２ｂ２と隣接する透明電極ＹＲ２ｂの対向部ＹＲ２ｂ２との間隔ｄ４が、図１の従来のＰＤＰの場合よりも大きくなるように設定される。
【００６６】
これによって、各透明電極Ｘ２ｂ，Ｙ２ｂの対向部Ｘ２ｂ２，Ｙ２ｂ２が行方向に対して傾斜するように形成される場合でも、隣接する放電セルＣ１の透明電極Ｘ２ｂとＹ２ｂ間に形成される静電容量が、図１の従来のＰＤＰの場合よりも小さくなるので、この静電容量に対する行電極Ｘ２とＹ２間の充放電による無効電力の消費が低減される。
【００６７】
さらに、上記ＰＤＰ２０によれば、透明電極Ｘ２ｂ，Ｙ２ｂがそれぞれ略くの字形状に形成され、それぞれの基端部Ｘ２ｂ１，Ｙ２ｂ１が対向部Ｘ２ｂ２，Ｙ２ｂ２のバス電極Ｘ２ａ，Ｙ２ａに接近している側の端部に接続されていることによって、基端部Ｘ２ｂ１，Ｙ２ｂ１のそれぞれの長さを基端部が対向部のほぼ中央部に接続されている第１実施例の場合よりも短くすることができ、これによっても、行電極Ｘ２，Ｙ２間に形成される静電容量の低減によって、無効電力の消費を低減することが出来るようになる。
【００６８】
なお、上記の実施例において、各透明電極Ｘ２ｂ，Ｙ２ｂの対向部Ｘ２ｂ２，Ｙ２ｂ２を、その傾斜方向が、列方向において表示ライン毎に交互に反対向きになるように形成するようにしても良い。
【００６９】
また、上記の各行電極Ｘ２，Ｙ２における透明電極Ｘ２ｂ，Ｙ２ｂの構成は、第１実施例の場合と同様に、各行電極対（Ｘ２，Ｙ２）の行電極Ｘ２とＹ２が表示ラインＬにおいて同じ配置、すなわち、パネルの列方向においてＸ２−Ｙ２，Ｘ２−Ｙ２というように交互に配置される構成のプラズマディスプレイパネルにおいても、同様に適用することが出来る。
【００７０】
さらに、上記の各行電極Ｘ２，Ｙ２における透明電極Ｘ２ｂ，Ｙ２ｂの構成は、前面ガラス基板と背面ガラス基板の一方の基板側に行電極対と列電極の双方が形成される形式のＰＤＰにおいても、同様に適用することが出来る。
【実施例３】
【００７１】
図５は、この発明によるＰＤＰの実施形態における第３の実施例の構成を示す正面図である。
【００７２】
この第３実施例におけるＰＤＰは、行電極Ｘ３，Ｙ３の各透明電極Ｘ３ｂ，Ｙ３ｂが、それぞれ、バス電極Ｘ３ａ，Ｙ３ａに接続されている端部側から対になっている相手の行電極側に幅広の同一幅で延びるように成形され、この透明電極Ｘ３ｂ，Ｙ３ｂの互いに放電ギャップｇ５を介して対向する対向部Ｘ３ｂ１，Ｙ３ｂ１が、バス電極Ｘ３ａ，Ｙ３ａに沿って交互に反対向きに所定の角度θ３だけ行方向に対して傾斜するように形成されている。
【００７３】
この実施例におけるＰＤＰも、前述した第１および第２実施例の場合と同様に、透明電極の対向部と、この透明電極が対になっている相手の透明電極に行方向において隣接する他の透明電極の対向部との間の間隔が、それぞれ大きくなるとともに、隣接する放電セル間の異なる電圧が印加される透明電極の端部が互いに対向しなくなる。
【００７４】
これによって、隣接する放電セルの透明電極間に形成される静電容量が小さくなって、この静電容量に対する行電極間の充放電による無効電力の消費が低減される。
【実施例４】
【００７５】
図６は、この発明によるＰＤＰの実施形態における第４の実施例の構成を示す正面図である。
【００７６】
この第４実施例におけるＰＤＰは、行電極Ｘ４，Ｙ４の各透明電極Ｘ４ｂ，Ｙ４ｂが、それぞれ、バス電極Ｘ３ａ，Ｙ３ａに接続された長さの異なる二本の基端部Ｘ４ｂ１，Ｙ４ｂ１およびＸ４ｂ２，Ｙ４ｂ２と、この基端部Ｘ４ｂ１，Ｙ４ｂ２と基端部Ｘ４ｂ２，Ｙ４ｂ２の先端部間に掛け渡された状態で一体成形されている対向部Ｘ４ｂ３，Ｙ４ｂ３とによって構成されて、放電ギャップｇ６を介して互いに対向する対向部Ｘ４ｂ３とＹ４ｂ３が、バス電極Ｘ４ａ，Ｙ４ａに沿って交互に反対向きに所定の角度θ４だけ行方向に対して傾斜するように形成されている。
【００７７】
この実施例におけるＰＤＰも、前述した第１ないし第３実施例の場合と同様に、透明電極の対向部と、この透明電極が対になっている相手の透明電極に行方向において隣接する他の透明電極の対向部との間の間隔が、それぞれ大きくなるとともに、隣接する放電セル間の異なる電圧が印加される透明電極の端部が互いに対向しなくなる。
【００７８】
これによって、隣接する放電セルの透明電極間に形成される静電容量が小さくなって、この静電容量に対する行電極間の充放電による無効電力の消費が低減される。
【図面の簡単な説明】
【００７９】
【図１】従来のＰＤＰの構成を示す正面図である。
【図２】この発明の実施形態における第１実施例を模式的に示す正面図である。
【図３】図２のＶ−Ｖ線における断面図である。
【図４】この発明の実施形態における第２実施例を模式的に示す正面図である。
【図５】この発明の実施形態における第３実施例を模式的に示す正面図である。
【図６】この発明の実施形態における第４実施例を模式的に示す正面図である。
【符号の説明】
【００８０】
１０，２０                      …ＰＤＰ
１                              …前面ガラス基板（基板）
４                              …背面ガラス基板（基板）
Ｘ１，Ｘ２，Ｙ１，Ｙ２          …行電極
Ｘ１ａ，Ｙ１ａ，Ｘ２ａ，Ｙ２ａ，Ｘ３ａ，Ｙ３ａ，Ｘ４ａ，Ｙ４ａ
…バス電極（電極本体部）  
Ｘ１ｂ，Ｙ１ｂ，Ｘ２ｂ，Ｙ２ｂ，Ｘ３ｂ，Ｙ３ｂ，Ｘ３ｂ，Ｙ３ｂ
…透明電極（突出電極部）
Ｘ１ｂ１，Ｙ１ｂ１，Ｘ２ｂ１，Ｙ２ｂ１，ＸＲ２ｂ１，ＹＲ２ｂ１，ＸＬ２ｂ１，ＹＬ２ｂ１，Ｘ４ｂ１，Ｙ４ｂ１，Ｘ４ｂ２，Ｙ４ｂ２                                                   …基端部（基端部分）
Ｘ１ｂ２，Ｙ１ｂ２，ＸＲ１ｂ２，ＹＲ１ｂ２，ＸＬ１ｂ２，ＹＬ１ｂ２，Ｘ２ｂ２，Ｙ２ｂ２，ＸＲ２ｂ２，ＹＲ２ｂ２，ＸＬ２ｂ２，ＹＬ２ｂ２，Ｘ３ｂ１，Ｙ３ｂ１，Ｘ４ｂ３，Ｙ４ｂ３          …対向部（対向部分）
Ｄ                              …列電極
Ｃ１                            …放電セル（単位発光領域）
ｇ１，ｇ２，ｇ３，ｇ４，ｇ５，ｇ６  …放電ギャップ
ｘ１，ｘ２                      …放電ギャップ長
θ１，θ２，θ３，θ４          …角度
【図１】
2006019136.tif 000003
【図２】
2006019136.tif 000004
【図３】
2006019136.tif 000005
【図４】
2006019136.tif 000006
【図５】
2006019136.tif 000007
【図６】
2006019136.tif 000008